(57)【要約】【課題】本発明が解決しようとする課題は、ラムネ菓子のような口腔内崩壊性を有する食品においても、印刷したものが他に移ったりせず、口腔崩壊性を損なうことのない可食性インクジェットインク組成物を提供することである。【解決手段】食品に直接印刷可能な可食性インクジェットインク組成物であって、食用色素、食品結着剤、水溶性溶剤、水からなり、食品結着剤が、水溶性で食品に添加することが可能な多糖類、二糖類、および、単糖類から選ばれるものであり、インク中に１６〜４０重量％含むことを特徴とする可食性インクジェットインク組成物。【選択図】なし【特許請求の範囲】
【請求項１】
食品に直接印刷可能な可食性インクジェットインク組成物であって、食用色素、食品結着剤、水溶性溶剤、水からなり、食品結着剤が、水溶性で食品に添加することが可能な多糖類、二糖類、および、単糖類から選ばれるものであり、インク中に１６〜４０重量％含むことを特徴とする可食性インクジェットインク組成物。
【発明の詳細な説明】
【技術分野】
【０００１】
本発明は、インクジェットプリンタにて使用される可食性インクジェットインク組成物に関するものであり、特に、口腔内崩壊性を有する食品に直接印刷可能である可食性インクジェットインク組成物に関するものである。
【背景技術】
【０００２】
インクジェットプリンタによる印刷は、印刷対象物に接触させずに印刷でき、少量多品種の可変印刷に優れている。薬やサプリメントを含む食品または飼料などの印刷対象物に対して、製造日、消費期限、メッセージ、絵柄などを印刷するために、インクジェットプリンタにて使用される可食性インクジェットインクが開発されている。
【０００３】
例えば、特開平０９−３０２２９４号公報では、ヤマモモ科植物抽出物、フラボノイド系物質、有機酸、アスコルビン酸類、エリソルビン酸類などのビタミンＣ群を用いる可食性安定剤と食用色素を含むインクジェット印刷用可食性インキが記載されている。特開２００１−１７２５３３号公報では、食用色素と水と亜硫酸金属塩を含むものが開示されている。特表２００５−５３１３３０号公報では、食用色素と油脂又はワックスベースのものである。
【０００４】
出願人においては、特開２００６−１６９３０１号公報では、食用色素、脂肪酸エステル、水溶性溶剤、精製水、シリコン樹脂を含むものを、また、特開２０１０−０４７６２６号公報では、疎水性成分を表面上に多く含む食品などの印刷対象物に対して、食用色素、乳化剤、水溶性溶剤、精製水を含むものを開発している。
【先行技術文献】
【特許文献】
【０００５】
【特許文献１】特開平０９−３０２２９４号公報
【特許文献２】特開２００１−１７２５３３号公報
【特許文献３】特表２００５−５３１３３０号公報
【特許文献４】特開２００６−１６９３０１号公報
【特許文献５】特開２０１０−０４７６２６号公報
【発明の概要】
【発明が解決しようとする課題】
【０００６】
しかしながら、ラムネ菓子のような口腔内崩壊性を有する食品においては、印刷した部分が他に移ったりする不具合が生じることがあった。これは、口腔内崩壊性という特徴そのものに原因があると考えられる。
【０００７】
本発明が解決しようとする課題は、ラムネ菓子のような口腔内崩壊性を有する食品においても、印刷したものが他に移ったりせず、口腔内崩壊性を損なうことのない可食性インクジェットインク組成物を提供することである。
【課題を解決するための手段】
【０００８】
薬やサプリメントを含む口腔内崩壊性を有する食品は、その食品基材が圧縮して固められ結着して、多孔質形状になっていることにより、口腔内崩壊性を有するものである。そのため、これまでの可食性インクジェットインクで印刷すると、食品基材同士の結着が弱くなり、崩れやすい。
【０００９】
そこで、インクに食品結着剤を含有させることで、印刷しても食品基材同士の結着が弱くならないようにすることができる。しかしながら、食品の口腔内崩壊性を損なうことなく、結着させなければならない。
【００１０】
一方で、このような食品結着剤となる物質は通常、増粘作用を有するものであり、インクに含有させると、インク粘度が増加してしまい、インクジェットプリンタにて吐出することができない。さらに、増粘によって乾燥しやすくなり、特にインクジェットプリンタのピエゾ式ヘッドにおいては、つまりやすくなる。
【００１１】
本発明の可食性インクジェットインク組成物は、食品に直接印刷可能な可食性インクジェットインク組成物であって、食用色素、食品結着剤、水溶性溶剤、水からなり、食品結着剤が、水溶性で食品に添加することが可能な多糖類、二糖類、および、単糖類から選ばれるものであり、インク中に１６〜４０重量％含むことを特徴とするものである。
【発明の効果】
【００１２】
本発明により、ラムネ菓子のような口腔内崩壊性を有する食品においても、印刷したものが他に移ったりせず、口腔内崩壊性を損なうことのない可食性インクジェットインク組成物を提供することができるようになった。また、ラムネに印刷したフルカラー画像が、普通紙に印刷した同じフルカラー画像と比較して、同様であるものとなった。
【発明を実施するための形態】
【００１３】
インクジェットプリンタにて使用でき、食品に直接印刷可能な可食性インクジェットインク組成物である。食品には、人が飲食して栄養素となるものだけでなく、薬やサプリメントを含み、また、人だけでなく動物が飲食して栄養素となるものや薬などの飼料も含むものである。
【００１４】
インクジェットプリンタの印刷方式においてはピエゾ式やサーマル式や荷電制御式などがあるが、ここでは増粘による乾燥に対して影響を受けやすいピエゾ式ヘッドを用いたものである。それゆえ、荷電制御式に必要な荷電制御物質（または導電物質）などをインクに含んでいない。
【００１５】
インクは、食用色素、食品結着剤、水溶性溶剤、水からなるものであり、他の調整剤などを含んでもよい。
【００１６】
食用色素は、例えば、赤色２号、赤色４０号、赤色１０２号、黄色５号、青色１号などの合成色素を使用することができる。食用色素はインク中に０.５〜７．０重量％が好ましい。
【００１７】
カラー画像にするには、少なくともシアン（Ｃ）、マゼンタ（Ｍ）、イエロー（Ｙ）の３原色を用意する必要があるが、画像の鮮明さを考えると、これらＣＭＹの３原色にブラック（Ｂ）の４色を用意するのが好ましい。このＣＭＹＢの４色インクセットによってフルカラー画像を印刷することができるピエゾ式インクジェットプリンタであり、これに適応したインクである。
【００１８】
シアン（Ｃ）は、青色１号、青色２号から選ばれる１種、または、これらを混合したもので、さらには、その他の食用色素を併用して、色目を調整する。実施例と比較例においては、シアン（Ｃ）は青色１号だけを使用して、インク中に３．０重量％含んだものである。
【００１９】
マゼンタ（Ｍ）は、赤色２号、赤色３号、赤色４０号、赤色１０２号、赤色１０４号、赤色１０５号、赤色１０６号から選ばれる１種、または、２種以上を混合したもので、さらには、その他の食用色素を併用して、色目を調整する。実施例と比較例においては、マゼンタ（Ｍ）は赤色１０２号と赤色１０６号を４：１の割合で混合して、インク中に５．０重量％含んだものである。
【００２０】
イエロー（Ｙ）は、黄色４号、黄色５号から選ばれる１種、または、これらを混合したもので、さらには、その他の食用色素を併用して、色目を調整する。実施例と比較例においては、イエロー（Ｙ）は黄色４号だけを使用して、インク中に５．０重量％含んだものである。
【００２１】
ブラック（Ｂ）は、青色と赤色と黄色とを混合することで、色目を調整する。例えば、赤色として、赤色４０号、赤色１０２号、赤色１０６号、黄色として、黄色４号、黄色５号、青色として、青色１号、青色２号から選んで混合することで、色目を調整する。実施例と比較例においては、ブラック（Ｂ）は赤色１０２号と青色１号と黄色４号を５：３：２の割合で混合して、インク中に５．０重量％含んだものである。
【００２２】
食品結着剤は、水溶性で、食品に添加することが可能な多糖類、二糖類、および、単糖類から選ばれるものである。インクにするためには水溶性である必要があり、可食インクであるので、食品あるいは食品添加物である必要がある。それらを満たす多糖類、二糖類、および、単糖類から選ばれるものである。
【００２３】
多糖類は、デンプン、セルロース、デキストリン、ペクチン、カラギーナンなどが挙げられ、二糖類は、マルトース、スクロース、トレハロースなどが挙げられ、単糖類は、マンニトール、グルコース、フルクトース、ガラクトースなどが挙げられる。これらから選ばれるもの、または、これらのうちどれか１種だけからなるものである。好ましくは、デキストリン、マルトース、マンニトールの３種から選ばれるもの、または、これら３種のうちどれか１種だけからなるものである。
【００２４】
この食品結着剤には、水溶性でない、食品に添加することが可能な物質、例えば、アルコール系溶剤に可溶なシュラック（セラック）は含まず、多糖類、二糖類、および、単糖類ではない天然樹脂や合成樹脂も含まない。
【００２５】
食品結着剤はインク中に１６〜４０重量％含むものである。好ましくは、２０〜３０重量％含むものである。この配合量より少ないと、口腔内崩壊性を有する食品に対して結着剤としての効果を充分に発揮せず、印刷したものが他へ移ることがある。この配合量より多いと、インクの粘度が増加してしまい、インクジェットプリンタからうまく吐出することができない。うまく吐出することができたとしても、多すぎると口腔内崩壊性を損なうことになる。
【００２６】
口腔内崩壊性は、口に含み、唾液によってすぐに崩壊して、飲食できる状態になることである。例えば、舌の上において唾液のみによって２分以内に崩壊してしまうものである。または、日本薬局方の崩壊試験法において２分以内の崩壊時間であるものである。
【００２７】
水溶性溶剤は、エタノール、プロピレングリコール、グリセリンなどの食品に添加することが可能な水溶性溶剤を使用することができる。水溶性溶剤はインク中に１．０〜７０重量％が好ましい。水溶性溶剤がプロピレングリコールのみからなる場合であれば、プロピレングリコールはインク中に７．０〜３５重量％が好ましい。実施例と比較例においては、プロピレングリコールをインク中に１０重量％含んだものである。
【００２８】
調整剤としては、界面活性効果、消泡効果、退色防止効果、防腐効果などを有する食品に添加することが可能な物質を使用することができる。
【００２９】
界面活性効果を有する物質として、脂肪酸エステルを添加するのが好ましい。脂肪酸エステルは、グリセリン脂肪酸エステル、ソルビタン酸脂肪酸エステル、ショ糖脂肪酸エステル、プロピレングリコール脂肪酸エステルなどから選ぶことができる。特に、グリセリン脂肪酸エステルが好ましい。脂肪酸エステルは、インク中に０．１〜５．０重量％が好ましい。実施例と比較例においては、調整剤としてグリセリン脂肪酸エステルだけを使用して、インク中に０．１重量％含んだものである。
【００３０】
水として精製水を用いて、水の配合量でインクが１００重量％になるように、実施例と比較例において調整している。
【実施例】
【００３１】
表１〜９に記載した重量％で配合して、それらを混合して、実施例と比較例のような各色の可食性インクジェットインク組成物を作製した。それらを用いて、次のような印刷評価、連続印刷評価、フルカラー画像評価、色移り評価、口腔崩壊評価を行った。
【００３２】
＜印刷＞
実施例と比較例の各色のインクを用いて、ピエゾ式インクジェットプリンタにて島田製菓株式会社製ラムネ菓子「島田のラムネ」（直径７．９０ｍｍ）に、「ラムネ」という文字画像を印刷した。評価として、吐出がうまくでき、良好な印刷が得られたものは○として、飛行曲がりやドット欠けが発生して良好な印刷が得られなかったものは×とした。
【００３３】
＜連続印刷＞
上記評価で良好となったインクで、ピエゾ式インクジェットプリンタにてＡ４普通紙に、Ａ５ベタ画像を１００枚印刷した後、上記と同じラムネ菓子に、「ラムネ」という文字画像を印刷した。評価として、吐出がうまくでき、良好な印刷が得られたものは○として、飛行曲がりやドット欠けが発生して良好な印刷が得られなかったものは×とした。なお、普通紙への印刷画像は評価していない。インクを吐出させるのが目的である。
【００３４】
＜フルカラー画像＞
上記２種の評価ともに良好となったもので、実施例１〜４、実施例５〜８、実施例９〜１２、実施例１３〜１６、実施例１７〜２０、実施例２１〜２４、実施例２５〜２８、実施例２９〜３２の組からなる、また、比較例１〜４、比較例９〜１２の組からなる、インクの色がシアン、マゼンタ、イエロー、ブラック（ＣＭＹＢ）の４色インクセットを用いて、ピエゾ式インクジェットプリンタにて島田製菓株式会社製ラムネ菓子「シマダのラムネ菓子」（直径２０．０ｍｍ）に、フルカラー画像を印刷した。評価として、市販されている一般的な水性インクジェットインクを用いてピエゾ式インクジェットプリンタにて普通紙に印刷した同じフルカラー画像と比較して、ラムネに印刷したフルカラー画像が、良好であるものは○として、同様でないものは×とした。
【００３５】
＜色移り＞
上記までの評価で良好となったもので、それぞれのインクを用いて、ピエゾ式インクジェットプリンタにて島田製菓株式会社製ラムネ菓子「島田のラムネ」（直径７．９０ｍｍ）に、１辺４ｍｍの正方形ベタ画像を単色で印刷した。その印刷面に未印刷の同じラムネ菓子（直径７．９０ｍｍ）を重ね合わせて、未印刷のラムネの上から０．１４ＭＰａの圧力を３０秒間加えた。評価として、印刷面と合わせた未印刷のラムネ面に、インクの色移りが、全くなく非常に良好であるものは◎、わずかな色移りかもしれないと思われる程度であるが良好なものは○として、色移りがあるものは×とした。
【００３６】
＜口腔崩壊＞
上記までの評価で良好となったもので、口に含んで口腔崩壊を確認した。評価として、印刷のないものとあるものとを比較して、食感の違いが全くなければ◎、わずかな違いが感じられるが同じように口腔崩壊するものは○として、口腔崩壊せず異物が残るような食感の違いがあれば×とした。
【００３７】
これら評価も、表に記載している。なお、評価が×となったものは、それ以降の評価は行っておらず、表では−とした。これらより、実施例のような単色でもまた４色インクセットでも、ラムネ菓子のような口腔内崩壊性を有する食品において、印刷したものが他に移ったりせず、口腔内崩壊性を損なうことのない可食性インクジェットインク組成物を提供することができるようになった。また、４色インクセットを用いてラムネに印刷したフルカラー画像が、普通紙に印刷した同じフルカラー画像と比較して、同様であるものとなった。
【００３８】
【表１】
2011236279.tif 000002
【００３９】
【表２】
2011236279.tif 000003
【００４０】
【表３】
2011236279.tif 000004
【００４１】
【表４】
2011236279.tif 000005
【００４２】
【表５】
2011236279.tif 000006
【００４３】
【表６】
2011236279.tif 000007
【００４４】
【表７】
2011236279.tif 000008
【００４５】
【表８】
2011236279.tif 000009
【００４６】
【表９】
2011236279.tif 000010